(57)【特許請求の範囲】
【請求項１】
機体の上ユニットと下ユニット間にカードの搬送路を持ち、かつ、前記搬送路に搬送ローラと、カードのデータを読み取りまたは書き込みの少なくとも一方を行う手段と、を有するカードリーダであって、
前記機体の上ユニットを前後にスライドさせた後で回転開閉させて搬送路を露出するようにし、かつ、前記機体上ユニットと前記機体下ユニットの前端部間に形成されたカード挿入口付近にカードの二枚重ね挿入を防止するためのリブを設け、
前記機体の上ユニットと前記下ユニットとの支点軸が前記上ユニットの二重穴に挿入されており、当該二重穴の中央が狭まった形状を有し、前記機体の上ユニットをスライドさせた場合、前記上ユニットが前記二重穴の中央で停止しないことを特徴とするカードリーダ。
【発明の詳細な説明】
【０００１】
【発明の属する技術分野】
本発明は、機体上下ユニット間にカード搬送路が形成され、機体上ユニットを開閉する構成のカードリーダに関する。
【０００２】
【従来の技術】
従来の磁気カードリーダは図５および図６に示すような構成が一般的であった。
【０００３】
以下、その構成について図５および図６を参照しながら説明する。
図示のように、機体前端部（図の左端部）には磁気カードを挿入するためのカード挿入口３１を形成してあり、このカード挿入口３１より機体後端部に向かってカード搬送路が形成され、カード搬送路の終端にはカードストッパー３２が形成されている。そして、カード搬送路部には、センサー３５、モータ３３により減速部３６を介して駆動される搬送ローラ３４、および磁気ヘッド３７が配置されている。図中の３８はモータ軸に取り付けられたエンコーダスリット、３９はエンコーダスリット３８に対応したフォトインターラプタ、４０はウオームギアである。
【０００４】
上記構成において、カード挿入口３１から挿入されたカードをセンサー３５が検知すると、モータ３３が所定の回転数で回り始め、ウオームギア４０からなる減速部３６で回転を落とし搬送ローラ３４を駆動する。手で挿入されたカードが搬送ローラ３４に達すると、この搬送ローラ３４によってカードは自動搬送となり、磁気ヘッド３７と接触しながら通る際に、カードの磁気トラック上に磁気データの読み取りおよび書き込みが行われる。
【０００５】
ここで、磁気ヘッド３７で磁気データを読み書きする際に、次の２つが重要なこととなる。
【０００６】
（１）磁気カードを一定速度で搬送する
（２）データの書き込みは一定間隔で行う
前記（１）の理由は、データの読み取りの際にカード搬送速度が大きく変動すると、磁気記録の性質のために磁気ヘッドからの読み取り出力も大きく変動し、読み取りエラーが発生してしまうためである。
【０００７】
また（２）の理由としては、磁気データの記録が一定の間隔で行われていないと、再生時にデータの１／０判定を行う際に判定が間違ってしまい、読み取りエラーが発生するためである。
【０００８】
これらの不具合を防止するために、搬送負荷変動があっても速度変動が起きないように、モータの回転速度をフィードバック制御（サーボ制御）している。このときに必要になるのがモータの回転情報を得るためのエンコーダ部で、この機体においては、モータ軸に取り付けられたエンコーダスリット３８をフォトインターラプタ３９で検知し、そこからの信号を利用することで速度制御を行っている。
【０００９】
また、このエンコーダ部の信号に同期したタイミングでカードへのデータ書き込みを行うことで、常に一定間隔での磁気データ記録を行うことができる。
【００１０】
ところで、磁気カードリーダライタを運用する上でもっとも問題となりやすいのが、長時間の使用によるカード搬送路内部の汚れが引き起こす次の２点の項目である。
【００１１】
（１）磁気ヘッド３７とカードの磁気記録部との間に汚れや埃があるとデータの正しい記録・再生がおこなわれず、エラーとなることがある。
【００１２】
（２）搬送ローラ３４に汚れがつくと、カードの搬送がすべり、ジャミングをおこすことがある。
【００１３】
以前の磁気カードリーダライタにおいては、カード搬送路が密閉されたものがほとんどで、上記不具合が発生した際の対応（内部のカードを取り除く，磁気ヘッドや搬送ローラを清掃する等）は、機器を分解する必要があり、非常に手間がかかるものであった。
【００１４】
近年、これらの対策として、ワンタッチで機体が開閉し、カード搬送路が露出できる構造の磁気カードリーダが考え出された。その概略を図７を参考に説明する。
【００１５】
この磁気カードリーダは、図示のように機体上ユニット５１と機体下ユニット５２が、カード挿入口３１とは反対端に設けられた回転支点５３によって回転自在に結合されている。そして機体上ユニット５１にはロック爪５４が設けられており、機体下ユニット５２のロック穴５５と係合することで、通常はカード搬送路を閉じた状態に維持している。
【００１６】
前記ロック爪５４は、その材質に弾性を有する樹脂を使用しているため、ロック爪５４のつまみ５６を指で押すことによりロック爪５４とロック穴５５を係合状態から解除し、そのまま機体上ユニット５１を指で持ち上げることでカード搬送路を露出することができる。
【００１７】
以上のような構造により、機体を分解することなく簡単にカード搬送路を露出することができるため、ジャミングにより内部でカードが詰まったときの取り出しや、磁気ヘッドおよび搬送ローラの清掃時には非常に簡単に対応できるようになった。
【００１８】
【発明が解決しようとする課題】
前述したように、これらの構造の材質はロック爪５４が弾性を有するもの（通常は樹脂）となっている。ところが、広く世間一般で使われている樹脂成形でこれらの部品を作ると、部分的な変形や反りによって図８のようにカード挿入口３１がひらいてしまうことがある。これは、ロック爪５４の位置は、カードの搬送を確実にするために搬送ローラの真横に配置されるため、カード挿入口３１付近は押さえがなくなるためである。
【００１９】
このような場合、外観が見苦しいことに加え、ひどいときには挿入しようとした磁気カードが変形でできた隙間に引っ掛かって詰まったりする。また、磁気カードリーダライタの機能の一つであるカード二枚重ね挿入防止機能を備えようとすると、カード厚みを規制するためには機体上下ユニットにリブを設けるだけでは寸法精度を確保できず、図９のようなカード二枚重ね挿入防止部材５７が必要になるといった欠点がある。
【００２０】
すなわち、カードを二枚重ねた状態でカードリーダライタ内に挿入すると、機内でカードが詰まるなどの不具合が発生するため、前記カード二枚重ね挿入防止部材５７はカード一枚厚よりも大きく、二枚厚よりも小さい寸法のスリットを持ち、カード挿入口近辺に設けられ、二枚重ね挿入を防止する機能を持つものである。
【００２１】
本発明は前記従来の問題に留意し、機体上下ユニット間の隙間による外観不良・カード詰まり等の不具合を防止するとともに、スリット状の別部品を追加することなく機体上下ユニットの２部品のみでカード二枚重ね防止機能を達成できるカードリーダを提供することを目的とする。
【００２２】
【課題を解決するための手段】
前記目的を達成するため、本発明は、機体上下ユニット間にカードの搬送路を構成し、カードの搬送路に搬送ローラと、カードのデータを読み取りまたは書き込みの少なくとも一方を行う手段を有するカードリーダであって、機体上ユニットを前後にスライドさせた後で回転開閉させ、カードの搬送路を露出するようにしたカードリーダとする。
【００２３】
本発明によれば、機体上下ユニット間の隙間による外観不良・カード詰まり等の不具合を防止するとともに、スリット状の別部品を追加することなく機体上下ユニットの２構成体のみでカード二枚重ね防止機能を達成できる。
【００２４】
【発明の実施の形態】
本発明は、機体の上ユニットと下ユニット間にカードの搬送路を持ち、かつ、前記搬送路に搬送ローラと、カードのデータを読み取りまたは書き込みの少なくとも一方を行う手段と、を有するカードリーダであって、前記機体の上ユニットを前後にスライドさせた後で回転開閉させて搬送路を露出するようにし、かつ、前記機体上ユニットと前記機体下ユニットの前端部間に形成されたカード挿入口付近にカードの二枚重ね挿入を防止するためのリブを設け、前記機体の上ユニットと前記下ユニットとの支点軸が前記上ユニットの二重穴に挿入されており、当該二重穴の中央が狭まった形状を有し、前記機体の上ユニットをスライドさせた場合、前記上ユニットが前記二重穴の中央で停止しないように構成される。
【００２６】
以下、本発明の実施の形態について図面を参照しながら説明する。
（実施の形態１）
図１は本発明の実施の形態１のカードリーダの内部機体を示す側面図、図２は同内部機体の上面図、図３は同機体の開閉を説明するための説明図、図４は同機体における二枚重ね挿入防止機能の説明視図である。
【００２７】
図１〜図４において、１はカード挿入口，２は機体後端部のカードストッパー，３はモータ，４は搬送ローラ，５はセンサー，６は減速部，７はカードにデータの記録をするかデータを読み出す手段で、具体的には磁気ヘッドとする。
【００２８】
９はフォトインターラプタ、１２はウオームギア、１３はエンコーダスリットであり、これらは前記従来例と同様に構成されているので、その説明は省略する。
【００２９】
また、カード挿入口１から挿入されたカードをセンサー５が検知すると、モータ３が所定の回転数で回りはじめ、減速部６で回転数を落として搬送ローラ４を回転させる動作、手で挿入されたカードが搬送ローラ４に達するとカードは自動搬送となり、磁気ヘッド７と接触しながら通る際にカードの磁気トラック上に磁気データの読み取りおよび書き込みが行われる動作、およびエンコーダ部でカード搬送速度制御と磁気データ記録のタイミングをとる動作も従来例と変わらない。
【００３０】
また、機器のメンテナンスを簡単にするために機体が機体上ユニット２１と機体下ユニット２２よりなり、機体上ユニット２１が開閉し、機体上下ユニット２１、２２間のカード搬送路が露出できる構造も同様である。
【００３１】
本実施の形態１においては、機体上下ユニット２１、２２の係合方法とその開閉手順に特徴を持っている。
【００３２】
通常のカード処理時は図３（ａ）（ｂ）（ｃ）の状態である。このときはＲで示す前部フックは、機体上ユニット２１のＬ型フック２３と機体下ユニット２２の受け部２４が係合し、機体上下ユニット２１、２２が隙間なく密着した状態となっている。また、Ｍで示すロック部は、機体上ユニット２１のロック爪２５が機体下ユニット２２のロック穴２６と係合している。
【００３３】
本実施の形態１においては、機体の高さをできるだけ低くするために、ロック爪２５を水平方向に取り付けている。
【００３４】
カード搬送路を露出するときには、まず図３（ａ）（ｂ）（ｃ）の状態から、Ｍ部のロック爪２５を指で内側に押してロック爪２５のかかりをはずし、ロックを解除する。次にロック爪２５を指で内側に押したままの状態で、機体上ユニット２１を図３で右方向へスライドさせ、図３（ｄ）（ｅ）の状態とする。このときＮ部で示す機体上ユニット２１の回転支点２７は、機体下ユニット２２の２連穴２８の左側から右側へ移動する。
【００３５】
このときにはＲ部フックは機体上下ユニット２１、２２の係合がはずれており、そのまま持ち上げれば機体上ユニット２１が回転し、図３（ｆ）に示すようにカード搬送路が露出するようになる。
【００３６】
以上のような構成により、工具等を使用して機体を分解することなく簡単にカード搬送路を露出することができるため、ジャミングにより内部でカードが詰まったときの取り出しや、磁気ヘッドおよび搬送ローラの清掃時には非常に簡単に対応することができる。
【００３７】
また、Ｒ部のフックにより機体上下ユニット２１、２２のカード挿入口付近は隙間がないため、図４に示すように機体上下ユニット２１、２２のそれぞれにリブ２９をもうけるだけで、カード二枚重ね挿入を防止することが可能なリブ間距離寸法Ａを精度よく実現することができる。
【００３８】
なお、機体下ユニット２２のＮ部の２連穴２８の中央部付近は、機体上ユニット２１の支点軸の直径より少し小さい寸法とすることで、機体上ユニット２１を前後にスライドするときにクリック感がでるようにし、機体上ユニット２１の位置が途中で止まらないで確実に移動するようにしている。また、Ｍ部のロック爪２５を解除してはじめて機体上ユニット２１はスライドできる構造であるため、輸送中の振動やカード挿入口からのいたずら等で不用意に機体上ユニット２１が動いたりすることはない。逆にメンテナンスを行った後に機体上ユニット２１を閉じるときも、Ｍ部のロック爪２５がカチッとかみ合うことを確認することで、機体上下ユニット２１、２２がズレることなく確実に位置決めできる。
【００３９】
【発明の効果】
以上の説明から明らかなように、従来、樹脂成形品のワンタッチ機体開閉式カードリーダにおいては、カード挿入口付近に隙間ができてしまい、外観が見苦しくなる上に、挿入しようとしたカードが引っかかって詰まったり、カード二枚重ね挿入を防止するためには別部品が必要になったりしていたが、本発明によれば、機体上下ユニット間にスライド機能を取り入れるとともに、カード挿入口近辺にフックを追加し、機体上下ユニット間の開きを防止するようにしたため、機体上下ユニット間の隙間による外観不良・カード詰まり等の不具合を防止するとともに、スリット状の別部品を追加することなく、機体上下ユニットの２部品のみでカード二枚重ね防止機能を達成することができる。
【図面の簡単な説明】
【図１】本発明の実施の形態１のカードリーダの内部機体の側面図
【図２】同内部機体の上面図
【図３】（ａ）は同機体開閉説明用の上面図
（ｂ）は同機体開閉説明用の側面図
（ｃ）は図３（ｂ）におけるＡ−Ａ断面図
（ｄ）は同機体開閉説明用の上面図
（ｅ）は同機体開閉説明用の側面図
（ｆ）は同機体開放状態の側面図
【図４】（ａ）は同機体のカード二枚重ね挿入防止機構部の正面図
（ｂ）は同機体のカード二枚重ね挿入防止機構部の側面図
【図５】従来の開閉式磁気カードリーダライタの内部機体の側面図
【図６】同開閉式磁気カードリーダライタの内部機体の上面図
【図７】（ａ）は同機体開閉説明用の側面図
（ｂ）は同機体開放状態の側面図
【図８】同機体カード挿入口部の変形を示す側面図
【図９】同機体に装置するカード二枚重ね挿入防止機構部材の斜視図
【符号の説明】
１  カード挿入口
２  カードストッパー
３  モータ
４  搬送ローラ
５  センサー
６  減速部
７  磁気ヘッド
９  フォトインターラプタ
１２  ウオームギア
１３  エンコーダスリット
２１  機体上ユニット
２２  機体下ユニット
２３  Ｌ型フック
２４  受け部
２５  ロック爪
２６  ロック穴
２７  回転支点
２８  二連穴
２９  リブ
【図１】
0004051750.tif 000002
【図２】
0004051750.tif 000003
【図３】
0004051750.tif 000004
【図４】
0004051750.tif 000005
【図５】
0004051750.tif 000006
【図６】
0004051750.tif 000007
【図７】
0004051750.tif 000008
【図８】
0004051750.tif 000009
【図９】
0004051750.tif 000010